(57)【要約】【課題】放熱部材の周りの通気性を保ちつつ、放熱部材に塵埃が付着する可能性を低減することができる照明器具を提供する。【解決手段】第一基台（ベース板６０）は、放熱部材６１が取り付けられている一の面６０１を有する。側壁４１は、第一基台と第二基台（取付板４０）とを繋いでいる。第三方向（左右方向Ｄ３）において、第二基台は一の面６０１より長い。側壁４１は、第二基台にかしめ固定されている。側壁４１の開口部４１０は、第一基台側から第二基台側に近づくほど第三方向の長さが長い台形状である。【選択図】図１
2018190632.tif 000002
【特許請求の範囲】
【請求項１】
光源ユニットと、
前記光源ユニットに熱的に結合している放熱部材と、
前記放熱部材が取り付けられている一の面を有する第一基台と、
第一方向において前記一の面に対向しており、前記第一方向において前記放熱部材を覆っている第二基台と、
前記第一方向に直交する第二方向において外部に面しており、前記第一基台と前記第二基台とを繋いでいる側壁と、を備え、
前記第一方向と前記第二方向との両方に直交する第三方向において、前記第二基台は前記一の面より長く、
前記側壁は、前記第二基台にかしめ固定されており、
前記側壁は、前記第二方向に開口しており前記第一基台側から前記第二基台側に近づくほど前記第三方向の長さが長い台形状の開口部を有する
ことを特徴とする照明器具。
【請求項２】
前記側壁のうち前記第一基台側の端から前記第二方向に突出しており、前記第一基台を支持している支持部を更に備えることを特徴とする請求項１記載の照明器具。
【請求項３】
前記側壁は、前記第一基台側から前記第二基台側に近づくほど前記第三方向の長さが長い台形状に形成されていることを特徴とする請求項１又は２に記載の照明器具。
【請求項４】
前記第二基台に取り付けられており、前記光源ユニットに電力を供給する電源ユニットを更に備えることを特徴とする請求項１〜３のいずれか一項に記載の照明器具。
【発明の詳細な説明】
【技術分野】
【０００１】
本発明は照明器具に関し、より詳細には、光源ユニットに熱的に結合している放熱部材を備える照明器具に関する。
【背景技術】
【０００２】
従来例として特許文献１記載の照明器具を例示する。特許文献１記載の照明器具は、天井等に取り付けられる。この照明器具は、光源と、外部に露出しており光源が発する熱を放熱する放熱部材と、光源に給電する電源ユニットと、電源ユニットが載せられた板と、を備える。
【先行技術文献】
【特許文献】
【０００３】
【特許文献１】特開２０１６−１００３１８号公報
【発明の概要】
【発明が解決しようとする課題】
【０００４】
しかしながら、特許文献１記載の照明器具では、放熱部材が外部に露出しているので、放熱部材の周りの通気性が確保される一方で、放熱部材に塵埃が付着しやすかった。放熱部材に塵埃が付着すると、放熱部材による放熱性能が低下するなどの問題が生じる。
【０００５】
本発明は、放熱部材の周りの通気性を保ちつつ、放熱部材に塵埃が付着する可能性を低減することができる照明器具を提供することを目的とする。
【課題を解決するための手段】
【０００６】
上記の課題を解決するために、本発明の一態様に係る照明器具は、光源ユニットと、放熱部材と、第一基台と、第二基台と、側壁と、を備える。前記放熱部材は、前記光源ユニットに熱的に結合している。前記第一基台は、前記放熱部材が取り付けられている一の面を有する。前記第二基台は、第一方向において前記一の面に対向している。前記第二基台は、前記第一方向において前記放熱部材を覆っている。前記側壁は、第二方向において外部に面している。前記第二方向は、前記第一方向に直交する方向である。前記側壁は、前記第一基台と前記第二基台とを繋いでいる。第三方向において、前記第二基台は前記一の面より長い。前記第三方向は、前記第一方向と前記第二方向との両方に直交する方向である。前記側壁は、前記第二基台にかしめ固定されている。前記側壁は、開口部を有する。前記開口部は、前記第二方向に開口している。前記開口部は、前記第一基台側から前記第二基台側に近づくほど前記第三方向の長さが長い台形状である。
【発明の効果】
【０００７】
本発明の一態様に係る照明器具では、放熱部材の周りの通気性を保ちつつ、放熱部材に塵埃が付着する可能性を低減することができる。
【図面の簡単な説明】
【０００８】
【図１】図１は、実施形態１に係る照明器具の上側から見た斜視図である。
【図２】図２は、同上の照明器具の下側から見た斜視図である。
【図３】図３は、同上の照明器具の要部の断面図である。
【図４】図４は、実施形態２に係る照明器具の正面図である。
【図５】図５は、同上の照明器具の下側から見た斜視図である。
【発明を実施するための形態】
【０００９】
（実施形態１）
以下、実施形態１に係る照明器具について、図１〜図３を参照して説明する。以下、特に断りのない限り、図１において矢印で示す向きによって照明器具１の上下、左右、前後を規定する。すなわち、取付板４０とベース板６０とが対向している方向を照明器具１の上下方向とし、取付板４０側を上とし、ベース板６０側を下とする。また、一対の側壁４１が互いに対向している方向を照明器具１の前後方向とする。また、一対の連結板４２（図２参照）が並んでいる方向を照明器具１の左右方向とする。
【００１０】
本実施形態の照明器具１の用途は特に限定されないが、照明器具１は、体育館やホールなどの天井の高い建物に設置される高天井用の照明器具として用いられることが好ましい。
【００１１】
照明器具１は、図１、２に示すように、光源ユニット２と、電源ユニット３と、器具本体４と、アーム５と、放熱ユニット６とを備えている。電源ユニット３は、光源ユニット２に電力を供給して光源ユニット２を点灯させる。器具本体４は、光源ユニット２及び電源ユニット３を保持している。アーム５は、器具本体４を天井に取り付けるための部材である。放熱ユニット６は、光源ユニット２で生じる熱を放熱する。
【００１２】
放熱ユニット６は、銅、銅合金、アルミ又はアルミ合金などの熱伝導性の材料により形成されている。図１に示すように、放熱ユニット６は、ベース板６０（第一基台）と、複数の放熱部材６１（フィン）とを含む。ベース板６０及び複数の放熱部材６１の各々は、長方形又は正方形の板状に形成されている。複数の放熱部材６１は、ベース板６０の一の面６０１（上面）に取り付けられている。一の面６０１は長方形状又は正方形状の面である。複数の放熱部材６１は、一の面６０１の右側の領域と左側の領域とに分かれて、厚み方向（前後方向Ｄ２）に間隔を空けて並んでいる。
【００１３】
図２、３に示すように、光源ユニット２は、ＬＥＤモジュール２０と、ユニットカバー２１とを含む。ＬＥＤモジュール２０は、長方形状又は正方形状の基板２００と、基板２００の下面に実装された複数個のＬＥＤ（Light Emitting Diode）とを含む。これら複数個のＬＥＤは、例えば、照明用白色ＬＥＤである。ユニットカバー２１は、透光性を有する合成樹脂（ポリカーボネート樹脂又はアクリル樹脂など）により、扁平な箱状に形成されている。
【００１４】
光源ユニット２は、ベース板６０の下面に取り付けられている。光源ユニット２の基板２００は、複数個のＬＥＤが実装されている実装面を下に向けてベース板６０にねじ止めされている。複数の放熱部材６１は、ベース板６０を介して光源ユニット２に熱的に結合している。すなわち、複数個のＬＥＤが発する熱は、ベース板６０から複数の放熱部材６１に伝導され、複数の放熱部材６１から大気中に放熱される。ユニットカバー２１は、ＬＥＤモジュール２０を覆い隠すようにベース板６０の下面に取り付けられている。  
【００１５】
器具本体４は、下面及び左右の面が開放された直方体状に形成されている。器具本体４は、取付板４０（第二基台）と、一対の側壁４１と、一対の連結板４２と、一対の支持部４３とを含む。これらはそれぞれ、亜鉛鋼板などの金属板によって形成されている。
【００１６】
取付板４０は、正方形状又は長方形状に形成されている。取付板４０は、上下方向Ｄ１（第一方向）において一の面６０１に対向している。
【００１７】
一対の側壁４１は、上端縁４１２において取付板４０の前後の端に固定されている。一対の側壁４１は、前後方向Ｄ２（第二方向）において互いに対向している。前後方向Ｄ２（第二方向）は、上下方向Ｄ１（第一方向）に直交する方向である。一対の側壁４１のうち前側の側壁４１は、下面と後面とが開放した直方体状に形成されている。後側の側壁４１は、下面と前面とが開放した直方体状に形成されている。各側壁４１の左右の面は、上側ほど前後方向Ｄ２の幅が長い略三角形に形成されている。各側壁４１は、前後方向Ｄ２から見て長方形状又は正方形状である。各側壁４１は、前後方向Ｄ２において外部に面している。すなわち、前側の側壁４１は、前面が外部に面しており、後側の側壁４１は、後面が外部に面している。
【００１８】
一対の支持部４３は、一対の側壁４１に一対一で対応している。各支持部４３は、対応する側壁４１の下端縁４１３から、前後方向Ｄ２に突出している。すなわち、一方の支持部４３は、前側の側壁４１の下端縁４１３から後向きに突出しており、他方の支持部４３は、後側の側壁４１の下端縁４１３から前向きに突出している。各支持部４３は、対応する側壁４１と一体に形成されている。各側壁４１と対応する支持部４３とは、１つの部材から曲げ加工により形成されている。
【００１９】
一対の連結板４２はそれぞれ、前後方向Ｄ２に長尺であり、前後方向Ｄ２から見てＬ字形を含む形状に形成されている。図２に示すように、各連結板４２は、第一片４２１と第二片４２２とを含む。第一片４２１は、上下方向Ｄ１に厚みを有している。第二片４２２は、左右方向Ｄ３（第三方向）に厚みを有し、第一片４２１から上向きに突出している。
【００２０】
各側壁４１は、下端縁４１３の長手方向の両端に連結板４２が１つずつ固定されている。つまり、一対の側壁４１は、一対の連結板４２のうち一方の連結板４２により、下端縁４１３の右端で連結されており、他方の連結板４２により、下端縁４１３の左端で連結されている。一対の支持部４３と一対の連結板４２の第一片４２１とで、長方形又は正方形の枠状の構造を為している。後述するように、当該枠状の構造は、ベース板６０（図１参照）を支持するための構造である。当該枠状の構造は、周方向に連続した構造に限らず、周方向の一部が非連続な構造であってもよい。
【００２１】
図１、図２に示すように、各側壁４１は、取付板４０にかしめ固定されている。各側壁４１は、取付板４０にかしめ固定するための一対の第一かしめ部４１５を有している。一対の第一かしめ部４１５は、側壁４１の上端縁４１２のうち、左右方向Ｄ３の両端に形成されている。取付板４０は、第一かしめ部４１５がそれぞれ挿入される４つの挿入孔を有している。４つの挿入孔は、取付板４０の四隅に設けられている。各第一かしめ部４１５は、取付板４０の挿入孔に挿入されてから折り曲げられて、側壁４１を取付板４０に固定する。
【００２２】
また、各側壁４１には、一対の連結板４２がかしめ固定されている。各連結板４２は、一対の側壁４１にかしめ固定するための一対の第二かしめ部４２５を有している。一対の第二かしめ部４２５は、連結板４２の長手方向の両端に形成されている。各側壁４１は、第二かしめ部４２５がそれぞれ挿入される一対の挿入孔を有している。一対の挿入孔は、側壁４１の左下隅及び右下隅に設けられている。各第二かしめ部４２５は、側壁４１の挿入孔に挿入されてから折り曲げられて、連結板４２を側壁４１に固定する。
【００２３】
放熱ユニット６は、器具本体４の内部に収容されている。一対の支持部４３と、一対の連結板４２の各々の第一片４２１との上に、ベース板６０の周縁部分が載って、ベース板６０は、これら一対の支持部４３と一対の第一片４２１とに支持されている。複数の放熱部材６１は、ベース板６０と取付板４０との間に位置している。また、光源ユニット２は、ユニットカバー２１が器具本体４の下面の開口４４を通して器具本体４の下面から下向きに突出するように、器具本体４に支持されている。
【００２４】
上記の通り、各側壁４１は、取付板４０にかしめ固定により接続され、支持部４３を介してベース板６０に接続されることにより、取付板４０とベース板６０を繋いでいる。したがって、上端縁４１２は、側壁４１のうち取付板４０側の端であり、下端縁４１３は、側壁４１のうちベース板６０側の端である。
【００２５】
左右方向Ｄ３において、取付板４０は一の面６０１より長い。左右方向Ｄ３（第三方向）は、上下方向Ｄ１（第一方向）と前後方向Ｄ２（第二方向）との両方に直交する方向である。図３において、長さＬ１は、一の面６０１の左右方向Ｄ３の長さである。長さＬ２は、取付板４０の左右方向Ｄ３の長さである。また、前後方向Ｄ２（図１参照）において、取付板４０は一の面６０１とほぼ同じ長さである。
【００２６】
また、取付板４０は、上下方向Ｄ１において複数の放熱部材６１を覆っている。より詳細には、左右方向Ｄ３と前後方向Ｄ２（図１参照）とにおいて、取付板４０は複数の放熱部材６１より長い。
【００２７】
また、図２に示すように、取付板４０は、一対の側壁４１を覆っている。より詳細には、上下方向Ｄ１から見て、各側壁４１は、取付板４０の一部と重なっている。上下方向Ｄ１から見て、前側の側壁４１の前面（前側の端縁）は、取付板４０の周縁４０２の一部と重なっている。上下方向Ｄ１から見て、後側の側壁４１の後面（後側の端縁）は、取付板４０の周縁４０２の一部と重なっている。
【００２８】
また、各側壁４１は、左右方向Ｄ３においてベース板６０（図３参照）とほぼ同じ長さであり、複数の放熱部材６１を前後方向Ｄ２において覆っている。このように側壁４１が左右方向Ｄ３に長尺に形成されていることにより、取付板４０を支持する側壁４１の強度が確保されている。
【００２９】
各側壁４１は、２つの開口部４１０を有している。各開口部４１０は、側壁４１を厚み方向（前後方向Ｄ２）に貫通している。すなわち、開口部４１０は、前後方向Ｄ２に開口している。開口部４１０は、台形状に形成されている。側壁４１の下端縁４１３側から上端縁４１２側に行くほど、開口部４１０の左右方向Ｄ３の長さが長い。つまり、ベース板６０（図３参照）側から取付板４０側に近づくほど、開口部４１０の左右方向Ｄ３の長さが長い。各側壁４１において２つの開口部４１０は、左右に並んで設けられている。各側壁４１は、２つの開口部４１０の間に、板状のアーム支持部４１１を含む。
【００３０】
複数の放熱部材６１から放出された熱は、各開口部４１０と、器具本体４の左右の開口面とから外部へ逃がされる。複数の放熱部材６１が放熱することで複数の放熱部材６１の周囲に発生する対流により、器具本体４への空気の出入りが起こる。
【００３１】
図１に示すように、アーム５は、亜鉛鋼板などの金属板によって、幅の細いＵ字形状に形成されている。アーム５は、長手方向の両端部にそれぞれ一対（図１では１つのみを図示）のボルト挿通孔５０が形成されている。上側のボルト挿通孔は円形の貫通孔であり、下側のボルト挿通孔５０は円弧状の長円形の貫通孔である。アーム５は、上側のボルト挿通孔に挿通されている第一ボルト５１を回転軸として、一対の側壁４１の各々のアーム支持部４１１に回転可能に支持されている。アーム５の回転範囲は、下側のボルト挿通孔５０に挿通されている第二ボルト５２がボルト挿通孔５０内を移動可能な範囲に限定されている。
【００３２】
アーム５は、長手方向の中央寄りの部分に、２つの取付孔５３を有している。照明器具１は、アーム５の２つの取付孔５３に通されたボルトにより、体育館の天井の梁などに取り付けられる。さらに、照明器具１は、金属製のワイヤからなる落下防止ワイヤによって天井の梁と結合される。
【００３３】
電源ユニット３は、取付板４０の上面に取り付けられている。電源ユニット３は、ケース３０と、カバー３１と、複数の端子台と、ケース３０に収容されている回路ブロックとを備えている。
【００３４】
回路ブロックは、外部から供給される電力（例えば、商用電源から供給される交流電力）を直流電力に変換する電力変換回路を有している。電力変換回路は、例えば、全波整流器、力率改善回路（昇圧チョッパ回路）、ＤＣ／ＤＣコンバータ（降圧チョッパ回路）などで構成されている。また、電力変換回路は、調光信号線を介して外部から伝送される調光信号に応じて、降圧チョッパ回路から出力する出力電流を増減して光源ユニット２を調光するように構成されている。電力変換回路の出力端は、出力ケーブルを介して光源ユニット２のＬＥＤモジュール２０（図３参照）と電気的に接続されている。電力変換回路から出力される直流電力は、出力ケーブルを介してＬＥＤモジュール２０に供給される。
【００３５】
ケース３０は、亜鉛鋼板などの金属板で形成されている。ケース３０は、下面が開口した直方体状に形成されている。ケース３０は、複数個所でねじ止めされて取付板４０の上面に取り付けられている。ケース３０の前面、後面及び右側面にはそれぞれ、複数の長孔状の通気孔３０１が貫通している。ケース３０は、回路ブロックから放射される熱で暖められたケース３０内の空気を、複数の通気孔３０１からケース３０の外に排気する。
【００３６】
複数の端子台は、ケース３０の左側面に取り付けられている。複数の端子台は、回路ブロックに電力を供給する電源線が接続される端子台と、回路ブロックに調光信号を入力するための調光信号線が接続される端子台とを含む。
【００３７】
カバー３１は、亜鉛鋼板などの金属板により、右側面と下面とが開放された箱形に形成されている。カバー３１は、複数の端子台を覆った状態で、ケース３０の左側面に取り付けられている。
【００３８】
上述の通り、本実施形態の照明器具１では、側壁４１と取付板４０とはかしめ固定により接続されている。もし、側壁と取付板とをねじ止めにより接続する場合は、ねじ孔にねじを挿入してねじを回したり、ねじにナットを取り付けたりするために、ねじ孔の周囲の空間を確保する必要がある。これに対して、側壁４１と取付板４０とをかしめ固定する場合は、第一かしめ部４１５を取付板４０の挿入孔に通して第一かしめ部４１５を折り曲げるだけでよい。したがって、ねじ止めと比較してかしめ固定は、狭い空間であってもより容易に行うことができる。すなわち、側壁４１と取付板４０とが結合している部分である第一かしめ部４１５及び挿入孔の周囲の空間が小さくても、側壁４１を取付板４０に固定できる。
【００３９】
これにより、複数の放熱部材６１を、第一かしめ部４１５及び挿入孔により近づけて配置することができる。すなわち、複数の放熱部材６１と取付板４０との間の距離をより小さくして、ベース板６０と取付板４０との間の距離をより小さくすることができる。よって、ベース板６０と取付板４０との間へ塵埃が侵入して複数の放熱部材６１に付着する可能性を低減することができる。
【００４０】
また、第一かしめ部４１５及び挿入孔の周囲の空間が小さくてもよいので、電源ユニット３と取付板４０の挿入孔との間隔を小さくすることができる。したがって、取付板４０において電源ユニット３を配置するスペースをより広く確保することができる。
【００４１】
また、ねじ止めの場合は、ねじ孔の周囲を塗装する際に、ねじ孔に塗料が付着してねじ込みが困難になることを防ぐために、ねじ孔をマスキングする工程が必要な場合がある。これに対してかしめ固定では、かしめ用の挿入孔の周囲を塗装する際に、挿入孔をマスキングしなくても、かしめ固定による組み立て性が低下しにくい。また、かしめ固定では座金が不要である。つまり、側壁４１と取付板４０との接続をかしめ固定により行うことによって、ねじ止めする場合よりも組み立て工数を減少させることができ、部品点数も抑えられる。
【００４２】
また、上述の通り、側壁４１と連結板４２とがかしめ固定されている。側壁と連結板とがねじ止めされる場合には、ねじ孔の周囲に比較的広い空間が必要である。すなわち、ねじにナットを取り付けたり、ねじ軸が配置されたりするスペースを確保することで、複数の放熱部材の設置スペースが狭くなる。特に、ねじ軸の軸方向において複数の放熱部材の設置スペースが圧迫される。これに対して、かしめ固定では、第二かしめ部４２５の周囲の空間が小さくても、側壁４１と連結板４２とを固定できる。したがって、複数の放熱部材６１と第二かしめ部４２５との間の距離をより小さくすることができる。よって、ベース板６０において複数の放熱部材６１の設置スペースをより広く確保することができる。
【００４３】
（実施形態１の変形例）
なお、照明器具１においてアーム５、連結板４２、支持部４３及び電源ユニット３は必須の構成ではない。
【００４４】
また、取付板４０及びベース板６０の形状は、長方形状及び正方形状に限定されない。例えば、これらは円盤状であってもよい。
【００４５】
また、第一基台（ベース板６０）及び第二基台（取付板４０）は、板状でなくてもよい。例えば、これらは角錐台状又は円錐台状に形成されていてもよい。
【００４６】
また、取付板４０は、第三方向（左右方向Ｄ３）において一の面６０１より長いことに加えて、第二方向（前後方向Ｄ２）においても一の面６０１より長くてもよい。
【００４７】
また、側壁４１を取付板４０にかしめ固定する方法は、側壁４１に設けられた第一かしめ部４１５を取付板４０の挿入孔に挿入して折り曲げる方法に限定されない。例えば、挿入孔に挿入された第一かしめ部４１５を捻ったり潰したりすることにより、第一かしめ部４１５が挿入孔から抜けないようされてもよい。また、取付板４０に第一かしめ部が設けられていて側壁４１に挿入孔が設けられていてもよい。また、側壁４１に設けられた孔に挿入されたリベットを、取付板４０に設けられた孔に挿入し、リベットを塑性変形させることにより、側壁４１を取付板４０にかしめ固定してもよい。
【００４８】
また、本実施形態の側壁４１は、左右方向Ｄ３においてベース板６０とほぼ同じ長さであり、複数の放熱部材６１を前後方向Ｄ２において覆っている。これに対して、前後方向Ｄ２から見て複数の放熱部材６１の少なくとも一部が側壁４１の外側に位置していてもよい。つまり、側壁４１の左右方向Ｄ３の長さは適宜変更可能である。
【００４９】
また、側壁４１の数は１つであってもよいし、３つ以上であってもよい。例えば、本実施形態における一対の側壁４１のいずれか１つのみが設けられていてもよい。また、取付板４０の右側又は左側に側壁が更に設けられていてもよい。
【００５０】
また、側壁４１において開口部４１０の数は１つであってもよいし、３つ以上であってもよい。
【００５１】
また、光源ユニット２は、ＬＥＤを有していることに限定されない。例えば、光源ユニット２は、ＬＥＤに代えて有機エレクトロルミネッセンス素子、レーザーダイオード素子、白熱電球、水銀灯又は蛍光灯などを有していてもよい。
【００５２】
また、光源ユニット２が複数設けられていてもよい。
【００５３】
（実施形態１のまとめ）
以上説明したように、本実施形態に係る照明器具１は、光源ユニット２と、放熱部材６１と、第一基台（ベース板６０）と、第二基台（取付板４０）と、側壁４１と、を備える。放熱部材６１は、光源ユニット２に熱的に結合している。第一基台は、放熱部材６１が取り付けられている一の面６０１を有する。第二基台は、第一方向（上下方向Ｄ１）において一の面６０１に対向している。第二基台は、第一方向において放熱部材６１を覆っている。側壁４１は、第二方向（前後方向Ｄ２）において外部に面している。第二方向は、第一方向に直交する方向である。側壁４１は、第一基台と第二基台とを繋いでいる。第三方向（左右方向Ｄ３）において、第二基台は一の面６０１より長い。第三方向は、第一方向と第二方向との両方に直交する方向である。側壁４１は、第二基台にかしめ固定されている。側壁４１は、開口部４１０を有する。開口部４１０は、第二方向に開口している。開口部４１０は、第一基台側から第二基台側に近づくほど第三方向の長さが長い台形状である。
【００５４】
上記の構成によれば、第二基台（取付板４０）は、第一方向（上下方向Ｄ１）において第一基台（ベース板６０）の一の面６０１に対向しており、第一方向において放熱部材６１を覆っている。さらに、第一方向に直交する第三方向（左右方向Ｄ３）において、第二基台は一の面６０１より長い。これにより、第二基台側から来て第一基台側に向かう塵埃が放熱部材６１に付着する可能性を低減することができる。
【００５５】
また、側壁４１は第二基台にかしめ固定されており、第一基台と第二基台とを繋いでいる。したがって、側壁が第二基台にねじ止めにより固定される場合と比較して、側壁４１と第二基台との結合部分の周囲の空間が小さくても、側壁４１と第二基台とをより容易に固定できる。これにより、第一基台と第二基台との間の放熱部材６１を、側壁４１と第二基台との結合部分により近づけて配置することができる。すなわち、放熱部材６１と第二基台との間の距離をより小さくして、第一基台と第二基台との間の距離をより小さくすることができる。よって、第一基台と第二基台との間へ塵埃が侵入して放熱部材６１に付着する可能性を更に低減することができる。
【００５６】
また、側壁４１は開口部４１０を有するので、放熱部材６１の周りの通気性を確保することができる。また、第一基台と第二基台との間に侵入した塵埃は、開口部４１０から出て行くことができるので、塵埃が放熱部材６１に付着する可能性を更に低減することができる。
【００５７】
さらに、開口部４１０は第一基台側から第二基台側に近づくほど幅が長い台形状である。ここで、第二基台側から来て第一基台側に向かう塵埃は、第一基台側に近づくにつれて、第二基台の周縁よりも内側へ拡散することがある。上記の構成によれば、開口部４１０は、第一基台側では第二基台側よりも幅が短いので、第一基台側で拡散した塵埃が、開口部４１０から第一基台と第二基台との間に侵入して放熱部材６１に付着する可能性を低減することができる。一方で、開口部４１０は、第二基台側では比較的幅が長いので、放熱部材６１の周りの通気性を確保することができる。
【００５８】
以上の通り、本実施形態に係る照明器具１では、放熱部材６１の周りの通気性を保ちつつ、放熱部材６１に塵埃が付着する可能性を低減することができる。したがって、温度上昇により光源ユニット２の光出力が低下したり、寿命が短くなったりする可能性を低減することができる。
【００５９】
また、本実施形態に係る照明器具１は、支持部４３を更に備える。支持部４３は、側壁４１のうち第一基台（ベース板６０）側の端（下端縁４１３）から第二方向（前後方向Ｄ２）に突出している。支持部４３は、第一基台を支持している。
【００６０】
上記の構成によれば、第一基台（ベース板６０）は、側壁４１の端（下端縁４１３）から突出している支持部４３により支持されている。したがって、簡易な構造で第一基台を支持することができる。
【００６１】
また、本実施形態に係る照明器具１は、電源ユニット３を更に備える。電源ユニット３は、第二基台（取付板４０）に取り付けられている。電源ユニット３は、光源ユニット２に電力を供給する。
【００６２】
上記の構成によれば、照明器具１は電源ユニット３を備えているので、電源ユニット３から光源ユニット２に電力を供給して光源ユニット２を点灯させることができる。また、側壁４１は第二基台（取付板４０）にかしめ固定されているので、側壁が第二基台にねじ止めされる場合と比較して、側壁４１と第二基台との結合部分の周囲の空間が小さくても、側壁４１と第二基台とをより容易に固定できる。これにより、第二基台において、電源ユニット３を配置するスペースをより広く確保することができる。
【００６３】
（実施形態２）
以下、実施形態２に係る照明器具について、図４、図５を用いて説明する。なお、実施形態１と同一の構成については、同一の符号を付して説明を省略する。
【００６４】
本実施形態の照明器具１ａにおいて、器具本体４ａの一対の側壁４１ａのうち前側の側壁４１ａは、下面と後面とが開放した偏平な箱状に形成されている。後側の側壁４１ａは、下面と前面とが開放した偏平な箱状に形成されている。各側壁４１ａは、前後方向Ｄ２から見て台形状に形成されている。各側壁４１ａでは、ベース板６０（図３参照）側の端である下端縁４１３よりも、取付板４０側の端である上端縁４１２の方が、左右方向Ｄ３の長さが長い。各側壁４１ａにおいて、上端縁４１２は台形の上辺に相当し、下端縁４１３は台形の下辺に相当する。すなわち、各側壁４１ａは、ベース板６０側から取付板４０側に近づくほど左右方向Ｄ３の長さが長い台形状である。各側壁４１ａの上端縁４１２の左右方向Ｄ３の長さは、取付板４０の左右方向Ｄ３の長さとほぼ等しい。各側壁４１ａの下端縁４１３の左右方向Ｄ３の長さは、ベース板６０の左右方向Ｄ３の長さとほぼ等しい。各側壁４１ａの左右の面は、長方形状に形成されている。
【００６５】
各側壁４１ａには、２つの開口部４１０が設けられている。各開口部４１０は、ベース板６０（図３参照）側（下側）から取付板４０側（上側）に近づくほど左右方向Ｄ３の長さが長い台形状に形成されている。より詳細には、２つの開口部４１０は、側壁４１ａの周縁に沿って形成されている。
【００６６】
なお、本実施形態でも、実施形態１と同様の変形が可能である。
【００６７】
（実施形態２のまとめ）
以上説明したように、本実施形態に係る照明器具１ａでは、側壁４１ａは、台形状に形成されている。側壁４１ａは、第一基台（ベース板６０）側から第二基台（取付板４０）側に近づくほど第三方向（左右方向Ｄ３）の長さが長い。
【００６８】
上記の構成によれば、側壁４１ａは、第一基台（ベース板６０）側から第二基台（取付板４０）側に近づくほど幅が長い台形状に形成されている。したがって、通気性を保ち、放熱部材６１に塵埃が付着する可能性を低減しつつ、第一基台側における側壁４１ａの幅を短くし、照明器具１ａをコンパクトに形成することができる。
【００６９】
なお、以上説明した実施形態は本発明の一例である。このため、本発明はこれらの実施形態に限定されず、本発明の趣旨を逸脱しない範囲において種々の変形が可能である。
【符号の説明】
【００７０】
１、１ａ  照明器具
２  光源ユニット
３  電源ユニット
４０  取付板（第二基台）
４１、４１ａ  側壁
４３  支持部
４１０  開口部
４１３  下端縁（第一基台側の端）
６０  ベース板（第一基台）
６１  放熱部材
６０１  一の面
Ｄ１  上下方向（第一方向）
Ｄ２  前後方向（第二方向）
Ｄ３  左右方向（第三方向）
【図１】
2018190632.tif 000003
【図２】
2018190632.tif 000004
【図３】
2018190632.tif 000005
【図４】
2018190632.tif 000006
【図５】
2018190632.tif 000007